(57)【要約】      （修正有）【課題】水抜部材あるいは水抜パイプを用いることなく意匠性を高め、サッシ開口部下辺に導かれた水を円滑に排出することができる外壁サッシ開口部枠の２次排水構造を提供する。【解決手段】開口部下地フレームの下辺に沿う開口下辺２次止水材部分１４Ａを左右辺２次止水材下側部分１３Ａｂに連続させ、開口左右辺２次止水材部分１４Ｂは下端を開口下辺２次止水材部分１４Ａから離す。開口左右辺２次止水材部分１４Ｂとサッシ３との間のサッシ周辺空間３ｂから、開口左右辺２次止水材部分１４Ｂと開口下辺２次止水材部分１４Ａ間の離れ箇所１４Ｃ、および左右辺２次止水材上側部分１３Ａａと左右辺２次止水材下側部分１３Ａｂ間の離れ箇所１３Ａｃを介して、パネル外周フレーム１の左右辺の外側となる縦目地裏空間１０ａに開口する排水経路１５を設ける。【選択図】図２
2008127790.tif 000002
【特許請求の範囲】
【請求項１】
パネル外周フレームの内側に矩形枠組状態の開口部下地フレームがあり、この開口部下地フレームの上下辺のフレーム材が、開口部下地フレームの左右辺よりも延びる開口下地側方延出部を介してパネル外周フレームに接合され、前記開口部下地フレームの内側に沿ってこの開口部下地フレームよりも屋外側に一部が突出するようにサッシが設けられ、前記パネル外周フレームおよび開口部下地フレームの屋外側面を覆ってこれらパネル外周フレームと開口部下地フレーム間に外壁面材が張られた外壁パネルにおいて、
前記サッシの外周面とこの外周面に対向する外壁面材の端面との間に１次止水材を介在させ、前記開口部下地フレームの屋外側面と外壁面材との間、および前記パネル外周フレームの屋外側面と外壁面材との間に２次止水材を介在させ、
この２次止水材は、パネル外周フレームの左右辺に沿う部分である左右辺２次止水材部分を、前記開口部下地フレームの下辺の位置で互いに上下に離れた左右辺２次止水材上側部分と左右辺２次止水材下側部分とに分け、かつ前記２次止水材は、開口部下地フレームの下辺に沿う開口下辺２次止水材部分を前記左右辺２次止水材下側部分に連続させ、前記開口部下地フレームの左右辺に沿う開口左右辺２次止水材部分は下端を前記開口下辺２次止水材部分から離すことで、開口左右辺２次止水材部分とサッシとの間のサッシ周辺空間から、前記開口左右辺２次止水材部分と開口下辺２次止水材部分間の離れ箇所、および左右辺２次止水材上側部分と左右辺２次止水材下側部分間の離れ箇所を介して、パネル外周フレームの左右辺の外側となる縦目地裏空間に開口する排水経路を設けたことを特徴とする外壁サッシ開口部枠の２次排水構造。
【請求項２】
請求項１において、前記サッシは、外周に張り出して前記開口部下地フレームの屋外側面の一部に重なる外周張出片を有し、この外周張出片と前期開口部下地フレームとの間に止水テープを介在させた外壁サッシ開口部枠の２次排水構造。
【発明の詳細な説明】
【技術分野】
【０００１】
この発明は、住宅やビル等における窯業系サイディングやプレキャストコンクリート（ＰＣ）カーテンウォール等を用いた外壁パネルにおけるサッシ開口部枠の２次排水構造に関する。
【背景技術】
【０００２】
窯業系サイディングやＰＣカーテンウォール等の外壁材を用いた外壁パネルのサッシ周りには、シーリングが施される。図５は窯業系サイディングを外壁面材とする外壁パネルのサッシ上辺部の構造を示している。図５に示すように、サッシ取付用開口部下地フレーム１００には、屋外側に一部が突出るようにサッシ１０１が設けられ、パネル外周フレーム（図示せず）および開口部下地フレーム１００の屋外側面を覆ってこれらパネル外周フレームと開口部下地フレーム１００間に、窯業系サイディング等の外壁面材１０２が張られている。そして、サッシ１０１の上辺部と開口部下地フレーム１００および外壁面材１０２との間には、図示のように防水テープ１０３、ブチルテープ１０４、防水シート１０５、発泡ポリエチレン等からなるバックアップ材１０６，１０７、ポリエチレンの成形体からなる水抜部材１０８等が介在されている。また、外壁面材１０２と水抜部材１０８との間には一成分形変性シリコーン等からなるパテ１０９が装填されている。
一方、ＰＣカーテンウォールを外壁面材として用いる外壁パネルの場合は、サッシ周りのシーリングとして２次排水がないものが多く、また、水抜きパイプを設けることもある。
【発明の開示】
【発明が解決しようとする課題】
【０００３】
上記のように窯業系サイディングを用いた外壁パネルの場合、日常の風雨においても雨水を内部に呼び込むことがあり、漏水はしないものの外装材等に悪影響を与えることがある。また、ＰＣカーテンウォールを用いた外壁パネルの場合、２次排水がないものは１次シールのみであるから、シールが劣化して切れた場合は、漏水にいたることになる。さらに、窯業系サイディングあるいはＰＣカーテンウォールによる外壁パネルの場合、水抜部材あるいは水抜パイプを用いているので、これらが外面に露出し、意匠上見栄えを悪くすることがなる。
【０００４】
この発明の目的は、水抜部材あるいは水抜パイプを用いることなく意匠性を高め、サッシ開口部下辺に導かれた水を円滑に排出することができる外壁サッシ開口部枠の２次排水構造を提供することである。
【課題を解決するための手段】
【０００５】
この発明の外壁サッシ開口部枠の２次排水構造は、パネル外周フレームの内側に矩形枠組状態の開口部下地フレームがあり、この開口部下地フレームの上下辺のフレーム材が、開口部下地フレームの左右辺よりも延びる開口下地側方延出部を介してパネル外周フレームに接合され、前記開口部下地フレームの内側に沿ってこの開口部下地フレームよりも屋外側に一部が突出するようにサッシが設けられ、前記パネル外周フレームおよび開口部下地フレームの屋外側面を覆ってこれらパネル外周フレームと開口部下地フレーム間に外壁面材が張られた外壁パネルにおいて、前記サッシの外周面とこの外周面に対向する外壁面材の端面との間に１次止水材を介在させ、前記開口部下地フレームの屋外側面と外壁面材との間、および前記パネル外周フレームの屋外側面と外壁面材との間に２次止水材を介在させ、この２次止水材は、パネル外周フレームの左右辺に沿う部分である左右辺２次止水材部分を、前記開口部下地フレームの下辺の位置で互いに上下に離れた左右辺２次止水材上側部分と左右辺２次止水材下側部分とに分け、かつ前記２次止水材は、開口部下地フレームの下辺に沿う開口下辺２次止水材部分を前記左右辺２次止水材下側部分に連続させ、前記開口部下地フレームの左右辺に沿う開口左右辺２次止水材部分は下端を前記開口下辺２次止水材部分から離すことで、開口左右辺２次止水材部分とサッシとの間のサッシ周辺空間から、前記開口左右辺２次止水材部分と開口下辺２次止水材部分間の離れ箇所、および左右辺２次止水材上側部分と左右辺２次止水材下側部分間の離れ箇所を介して、パネル外周フレームの左右辺の外側となる縦目地裏空間に開口する排水経路を設けたことを特徴とする。
【０００６】
この発明の外壁サッシ開口部枠の２次排水構造によると、前記サッシの外周面とこの外周面に対向する外壁面材の端面との間に１次止水材を介在させているから、サッシ周りから外壁面材の屋内側面への雨水等の浸入が防止される。また、前記パネル外周フレームの屋外側面と外壁面材との間に２次止水材を介在させているから、パネル外周フレームの周りから外壁面材の屋内側面への雨水等の浸入も防止される。さらに、前記開口部下地フレームの屋外側面と外壁面材との間にも２次止水材を介在させているから、上記１次止水材が劣化して切れたとしても、この２次止水材によって、サッシ周りから外壁面材の屋内側への雨水等の浸入が防止される。そして、開口左右辺２次止水材部分と開口下辺２次止水材部分間の離れ箇所、およびパネル外周フレームの左右辺に沿う部分である左右辺２次止水材上側部分と左右辺２次止水材下側部分間の離れ箇所を介して、パネル外周フレームの左右辺の外側となる縦目地裏空間に開口する排水経路が設けられているから、１次止水材の劣化等により開口部下地フレームとサッシ周辺空間内に雨水等が浸入した場合でも、この排水経路より逐次排出される。
【０００７】
この発明において、前記サッシは、外周に張り出して前記開口部下地フレームの屋外側面の一部に重なる外周張出片を有し、この外周張出片と前期開口部下地フレームとの間に止水テープを介在させても良い。このようにサッシと開口部下地フレームとの間に止水テープを介在させることにより、１次止水材が劣化等により切れたとしても、サッシ回りから屋内側への雨水等の浸入が完全に阻止される。
【発明の効果】
【０００８】
この発明の外壁サッシ開口部枠の２次排水構造は、パネル外周フレームの内側に矩形枠組状態の開口部下地フレームがあり、この開口部下地フレームの上下辺のフレーム材が、開口部下地フレームの左右辺よりも延びる開口下地側方延出部を介してパネル外周フレームに接合され、前記開口部下地フレームの内側に沿ってこの開口部下地フレームよりも屋外側に一部が突出するようにサッシが設けられ、前記パネル外周フレームおよび開口部下地フレームの屋外側面を覆ってこれらパネル外周フレームと開口部下地フレーム間に外壁面材が張られた外壁パネルにおいて、前記サッシの外周面とこの外周面に対向する外壁面材の端面との間に１次止水材を介在させ、前記開口部下地フレームの屋外側面と外壁面材との間、および前記パネル外周フレームの屋外側面と外壁面材との間に２次止水材を介在させ、この２次止水材は、パネル外周フレームの左右辺に沿う部分である左右辺２次止水材部分を、前記開口部下地フレームの下辺の位置で互いに上下に離れた左右辺２次止水材上側部分と左右辺２次止水材下側部分とに分け、かつ前記２次止水材は、開口部下地フレームの下辺に沿う開口下辺２次止水材部分を前記左右辺２次止水材下側部分に連続させ、前記開口部下地フレームの左右辺に沿う開口左右辺２次止水材部分は下端を前記開口下辺２次止水材部分から離すことで、開口左右辺２次止水材部分とサッシとの間のサッシ周辺空間から、前記開口左右辺２次止水材部分と開口下辺２次止水材部分間の離れ箇所、および左右辺２次止水材上側部分と左右辺２次止水材下側部分間の離れ箇所を介して、パネル外周フレームの左右辺の外側となる縦目地裏空間に開口する排水経路を設けたため、サッシ周りの１次止水材が劣化して切れたとしても、浸入した雨水等は上記排水経路より逐次排出され、室内への浸水が防止される。また、サッシ周りには水抜きパイプや排水孔を設けることを要しないから、意匠上の見栄えが悪くなることがなく、同面納まりのような場合でもきれいな納まりを実現できる。
【発明を実施するための最良の形態】
【０００９】
この発明の外壁サッシ開口部枠の２次排水構造の一実施形態を、図１ないし図４と共に説明する。図１はこの実施形態に係る外壁パネルの正面図を示すが、外壁面材、サッシ及び窓等の図示を省略している。図に示す外壁パネルＰは、左右辺フレーム１ａ，１ａおよび上下辺フレーム１ｂ，１ｂによって枠組みされたパネル外周フレーム１と、このパネル外周フレーム１の内側に左右辺下地フレーム２ａ，２ａおよび上下辺下地フレーム２ｂ，２ｂによって矩形に枠組みされた開口部下地フレーム２とにより枠組みが構成される。図示の例では、上記パネル外周フレーム１の上下辺フレーム１ｂと開口部下地フレーム２の上下辺下地フレーム２ｂとの間にさらに縦桟１ｃが設けられている。開口部下地フレーム２の上下辺下地フレーム２ｂ，２ｂは、パネル外周フレーム１の内部の横桟を兼ね、左右辺下地フレーム２ａ，２ａよりも延びる開口下地側方延出部２ｂａ，２ｂａを介して外周フレーム１の左右辺フレーム１ａ，１ａに接合されている。
【００１０】
図３，図４に示すように、開口部下地フレーム２の内側に沿って、この開口部下地フレーム２よりも屋外側に一部が突出するようにサッシ３が設けられている。また、前記パネル外周フレーム１および開口部下地フレーム２の屋外側面を覆ってこれらパネル外周フレーム１と開口部下地フレーム２間に、前記のような窯業系サイディングあるいはＰＣカーテンウォール等からなる外壁面材４が張られている。サッシ３は、外壁面材４との間にスペーサ金物５を介在させ、その内側には引違い窓６が組み込まれ、屋内側の額縁７に固定されると共に、開口部下地フレーム２の屋外側面の一部に重なるようその外周に張り出した外周張出片３ａを、止水テープ８を介して、ビス９によって開口部下地フレーム２に止着固定されている。止水テープ８は、サッシ３の四周に連続して設けられる。この止水テープ８は、ブチル系あるいはアクリル系両面粘着テープからなり、開口部フレーム２の所定位置に接着した後、離型紙を剥がし、サッシ３の外周張出片３ａをセットし、ビス９によって固定する際に外周張出片３ａと開口部フレーム２との間に圧縮接着される。隣合う外壁パネルＰの外壁面材４，４の夫々の端面との間にはコーキング材等の湿式の縦目地材１０が装填されている。
【００１１】
上記サッシ３の外周面とこの外周面に対向する外壁面材４の端面との間に、発泡ポリエチレン等のバックアップ材１１およびシーリング材からなる１次止水材１２を介在させている。また、前記開口部下地フレーム２の屋外側面と外壁面材４との間、および前記パネル外周フレーム１の屋外側面と外壁面材４との間に発泡体（例えば、ＥＰＤＭ発泡体）等からなる定型の２次止水材１４，１３を接着し介在させている。図１に示す破線および図２に示すクロスハッチング部は、この２次止水材１３，１４の接着介在パターンを示している。
【００１２】
この２次止水材１３，１４の内、パネル外周フレーム１に沿う２次止水材１３は、パネル外周フレーム１の左右辺１ａに沿う部分である左右辺２次止水材部分１３Ａを、前記開口部下地フレーム２の下辺の位置で互いに上下に離れた左右辺２次止水材上側部分１３Ａａと左右辺２次止水材下側部分１３Ａｂとに分けている。また、開口部下地フレーム２に沿う２次止水材１４は、開口部下地フレーム２の下辺下地フレーム２ｂおよびその開口下地側方延出部２ｂａに沿う開口下辺２次止水材部分１４Ａを前記左右辺２次止水材下側部分１３Ａｂに連続させている。
【００１３】
前記開口部下地フレーム２の左右辺に沿う開口左右辺２次止水材部分１４Ｂは、その下端を前記開口下辺２次止水材部分１４Ａから離すことで、開口左右辺２次止水材部分１４Ｂとサッシ３との間のサッシ周辺空間３ｂから、前記開口左右辺２次止水材部分１４Ｂと開口下辺２次止水材部分間１４Ａの離れ箇所１４Ｃ、および左右辺２次止水材上側部分１３Ａａと左右辺２次止水材下側部分１３Ａｂ間の離れ箇所１３Ａｃを介して、パネル外周フレーム１の左右辺１ａの外側となる縦目地裏空間１０ａに開口する２次排水経路１５を設けている。
【００１４】
この実施形態の外壁サッシ開口部枠の２次排水構造によると、上記構成の２次排水経路１５を設けたため、１次止水材が劣化等により寸断し、サッシ周辺空間３ｂに雨水等が浸入しても、この２次排水経路１５から縦目地裏空間１０ａを経て地上に排出され、室内への浸入が防止される。また、サッシ３の外周張出片３ａを、止水テープ８を介してビス９によって開口部下地フレーム２に止着固定しているから、サッシ３の４周が連続して止水され、これと排水経路１５の機能とが相俟って、室内への雨水等の浸入の防止がより効果的になされる。
【００１５】
なお、サッシ３の外壁パネルＰに対する相対的な大きさや、引違い窓６の形状等は図示のものに限定されるものではない。サッシ３に組み込まれる窓としては、引違い窓に限らず、開き窓、回転窓、滑り出し窓、上げ下げ窓、内倒し窓、嵌め殺し窓や掃出し窓、肘掛け窓であっても良い。
【図面の簡単な説明】
【００１６】
【図１】この発明の一実施形態に係る外壁パネルを概念的に示す正面図である。
【図２】図１におけるＸ部の拡大図である。
【図３】図１におけるＹ−Ｙ線部分破断矢視断面図である。
【図４】図１におけるＺ−Ｚ線部分破断矢視断面図である。
【図５】従来の外壁パネルのサッシ上辺部の構造を示す断面図である。
【符号の説明】
【００１７】
１…パネル外周フレーム
１ａ…左右辺フレーム
２…開口部下地フレーム
２ａ…左右辺下地フレーム
２ｂ…上下辺下地フレーム
２ｂａ…開口下地側方延出部
３…サッシ
３ａ…外周張出片
３ｂ…サッシ周辺空間
４…外壁面材
８…止水テープ
１０ａ…縦目地裏空間
１２…１次止水材
１３…２次止水材
１３Ａ…左右辺２次止水材部分
１３Ａａ…左右辺２次止水材上側部分
１３Ａｂ…左右辺２次止水材下側部分
１３Ａｃ…離れ箇所
１４…２次止水材
１４Ａ…開口下辺２次止水材部分
１４Ｂ…開口左右辺２次止水材部分
１４Ｃ…離れ箇所
１５…排水経路
Ｐ…外壁パネル
【図１】
2008127790.tif 000003
【図２】
2008127790.tif 000004
【図３】
2008127790.tif 000005
【図４】
2008127790.tif 000006
【図５】
2008127790.tif 000007